(57)【要約】【課題】  多層光ディスクにおいて、記録再生層を文字や画像などを描画する層として用いることを可能にする。【解決手段】  少なくとも２層以上のデジタル情報の記録再生を行う記録再生層と各層に管理情報領域を備えた光ディスクにおいて、記録再生層はデジタル情報とは別の画像も描画可能であり、描画可能層を特定する情報を当該層の管理情報領域に登録することを特徴とする光ディスク。【選択図】  図１
2011100501.tif 000002
【特許請求の範囲】
【請求項１】
光ディスクであって、
少なくとも２層以上のユーザデータの記録または再生が行われる記録再生層と、
ユーザデータとは異なるデータを記録する管理情報領域と、を備え、、
前記記録再生層には視認可能な画像を描画することが可能であり、
前記管理情報領域は前記画像を描画される記録再生層である描画層を特定する描画層情報を記録する領域を有することを特徴とする光ディスク。
【請求項２】
請求項１に記載の光ディスクであって、
前記管理情報領域は、各記録再生層の内周部及び外周部に配置されることを特徴とする光ディスク。
【請求項３】
請求項１に記載の光ディスクであって、
前記２層以上の記録再生層の各々が前記管理情報領域を備え、
前記描画層情報は、前記描画層と同一の層に備えられる前記管理情報領域に記録されることを特徴とする光ディスク。
【請求項４】
請求項１に記載の光ディスクであって、
前記２層以上の記録再生層の各々が前記管理情報領域を備え、
前記描画層情報は、いずれか１の記録再生層の管理情報領域に記録されることを特徴とする光ディスク。
【請求項５】
光ディスクに対して記録または再生を行う光ディスク装置であって、
レーザ光の発光し、受光する光ピックアップと、
前記光ディスクを回転させるスピンドルモータと、を備え、
前記光ディスクが、少なくとも２層以上のユーザデータの記録または再生が行われる記録再生層と、ユーザデータとは異なるデータを記録する管理情報領域と、を備え、前記記録再生層には視認可能な画像を描画することが可能である場合に、フォーマット時に前記複数の記録再生層から任意の層を描画層に指定可能であることを特徴とする光ディスク装置。
【請求項６】
光ディスクに対して記録または再生を行う光ディスク装置であって、
レーザ光の発光し、受光する光ピックアップと、
前記光ディスクを回転させるスピンドルモータと、を備え、
前記光ディスクが、少なくとも２層以上のユーザデータの記録または再生が行われる記録再生層と、ユーザデータとは異なるデータを記録する管理情報領域と、を備え、前記記録再生層には視認可能な画像を描画する描画層として利用できる場合に、各記記録再生層が記録に適合するか否かを検出し、記録不適合な層は描画層とすることが可能であることを特徴とする光ディスク装置。
【請求項７】
請求項６に記載の光ディスク装置で、前記記録適合性を前記光ピックアップからの全反射光量をもとに検出することを特徴とする光ディスク装置。
【請求項８】
請求項６に記載の光ディスク装置で、前記記録適合性を前記光ピックアップからのフォーカスエラーをもとに検出することを特徴とする光ディスク装置。
【請求項９】
請求項６に記載の光ディスク装置で、前記記録適合性を前記光ピックアップからのトラッキングエラーをもとに検出することを特徴とする光ディスク装置。
【請求項１０】
請求項１から４に記載の光ディスクにユーザデータを記録、もしくは前記光ディスクのデジタル情報を再生する光ディスク装置であって、
光ピックアップと、
スピンドルモータと、を備え、
フォーマット時に前記複数の記録再生層から任意の層を描画層に指定可能であることを特徴とする光ディスク装置。
【請求項１１】
請求項１から４に記載の光ディスクにユーザデータを記録、もしくは前記光ディスクのデジタル情報を再生する光ディスク装置であって、
光ピックアップと、
スピンドルモータと、を備え、
各層記録前にあらかじめ層の記録適合性を検出し、記録不適合な層は描画層とすることが可能であることを特徴とする光ディスク装置。
【請求項１２】
請求項１１に記載の光ディスク装置で、前記記録適合性を前記光ピックアップからの全反射光量をもとに検出することを特徴とする光ディスク装置。
【請求項１３】
請求項１１に記載の光ディスク装置で、前記記録適合性を前記光ピックアップからのフォーカスエラーをもとに検出することを特徴とする光ディスク装置。
【請求項１４】
請求項１１に記載の光ディスク装置で、前記記録適合性を前記光ピックアップからのトラッキングエラーをもとに検出することを特徴とする光ディスク装置。
【発明の詳細な説明】
【技術分野】
【０００１】
本発明は、光ディスク、光ディスク装置に関するものである。その例としては、本発明は、デジタルデータ記録層に画像を描画可能な光ディスク記録再生装置に関するものである。
【背景技術】
【０００２】
光ディスクに描画を行う装置に関して、特許文献１が出願されている。特許文献１には、その要約に、「文字や画像等を高い視認性で光学的に形成する
ことができる情報記憶媒体を提供することを目的とする」ことが記載されている。また、特許文献１には、「一方の面がレーザ照射面であり他方の面がレーベル面である多層記録可能な情報記憶媒体において、各種デジタルデータを前記レーザ照射面側から光学的に記録する第１の記録層と、画像データを前記レーザ照射面側から光学的に、かつ前記レーベル面側から視認可能に記録する第２の記録層と、を備えた」情報記憶媒体が記載されている。
【先行技術文献】
【特許文献】
【０００３】
【特許文献１】特開２００７−３５１９４号公報
【発明の概要】
【発明が解決しようとする課題】
【０００４】
光ディスク記録再生装置は記録再生技術の進歩によりＣＤ，ＤＶＤ，ＢＤと新たな規格が制定されるにつれ、記録容量は増加の一途をたどっている。利用者の利便性を考え、光ディスク記録再生装置は制定されている全ての規格に準拠することを求められている。そのため、光ディスク記録再生装置は利用者が装着した光ディスクを認識過程でどの規格に準拠しているのかを正確に認識する必要がある。そのため光ディスクの認識時間が延長する課題がある。特に、ユーザが間違った光ディスクを挿入した場合には、光ディスクの認識処理自体が無駄となる場合がある。これに対して、特許文献１の発明によると、利用者が簡便に光ディスクの内容を把握することが可能となる。
【０００５】
しかし、描画するためだけの描画専用の層を、記録再生層とは全く異なる層として光ディスク内に設ける場合に、製造コストが上昇する場合がある。
【０００６】
これに対しては、記録再生層を描画層として転用する場合も考えられる。しかし、単に転用するだけでは、ある記録再生層が描画層として転用されているか否かを装置が認識できないか、あるいは認識の時間が増大する可能性がある。
【０００７】
本発明の目的は、コストアップを抑制しつつ、光ディスクの内容を視認可能な光ディスク、光ディスク装置を提供することである。
【課題を解決するための手段】
【０００８】
上記目的は、例えば、特許請求の範囲に記載の構成によって解決される。
【発明の効果】
【０００９】
本発明によると、コストアップを抑制しつつ、光ディスクの内容を視認可能な光ディスク、光ディスク装置を提供することが可能となる。
【図面の簡単な説明】
【００１０】
【図１】本実施例の光ディスクの断面図を示す。
【図２】本実施例の光ディスク記録再生装置を示す。
【図３】本実施例の光ピックアップ動作詳細を示す。
【図４】本実施例の光ピックアップ内部詳細図を示す。
【図５】本実施例の光ディスクへのフォーマットフローを示す。
【図６】本実施例の光ディスク読み込みフローを示す。
【図７】本実施例の光ディスクの記録再生順序を示す。
【図８】本実施例の光ディスクを示す。
【図９】本実施例の光ディスクの記録再生順序を示す。
【図１０】本実施例の光ディスクを示す。
【図１１】本実施例の光ディスクを示す。
【図１２】本実施例の信号の読み取りを示す。
【図１３】本実施例の信号の読み取りを示す。
【図１４】本実施例の記録再生不適合層の確認処理を示す。
【図１５】本実施例の記録再生不適合層の登録フローを示す。
【発明を実施するための形態】
【００１１】
以下、本実施例を実施するための形態について図を用いて説明する。
【００１２】
図１は本実施例の光ディスクの断面図を示しており、２層以上の例として４層ディスクを示している。光ディスク１００は、デジタル情報またはユーザデータを記録再生するための記録再生層１０１から１０４からなりたつ。これら記録再生層はデジタル情報を記録再生するのみならず、図形や文字なども描画可能である。なお、図１では、１例として記録再生層１０１を描画層としているが、これは他の層でも、全層でも良く、層を特定するものではない。なお、描画層とは、光学的にユーザが図形や文字を認識可能なように、記録再生層に当該図形や文字をレーザによって焼き付けることが可能な層を示す。また、光ディスク１００は、記録再生層１０１から１０４とは別に管理情報領域１０５から１０８を各層に持つ。管理情報領域１０５は、ユーザデータとは異なるデータ、特に、管理情報を記録する領域である。また、管理情報領域１０５には、例えば、ユーザデータ領域に記録されるファイル、またはそのファイルの記録される範囲、交代処理を行った場合の交代情報等を記録する。さらに、管理情報領域１０５は、どの記録再生層を、画像を描画する描画層として扱うかを示す描画層情報を記録する領域を含んでいるものとする。また、ユーザデータとは、例えば音楽ファイルやプログラムファイル等の事を示し、ユーザが再生、実行等を行うデータを示す。
【００１３】
図２は、本実施例の光ディスク記録再生装置を示している。光ディスク記録再生装置１内には光ピックアップ２を備える。光ピックアップ２からレーザを光ディスク１００に照射し、かつ光ディスク１００からの反射光を光ピックアップ２自身が受光する。光ディスク１００はスピンドルモータ４にチャッキングされており、ドライバ５、ＤＳＰ３により制御されている。光ピックアップ２はスピンドルモータ４と同様にドライバ５、ＤＳＰ３により制御されている。ＤＳＰ３は図示しないＣＰＵを内蔵し、バス６を介してＲＡＭ７およびフラッシュメモリ８と接続されている。また、フラッシュメモリ８は光ディスクの制御用プログラムを記録している。光ディスク記録再生装置１は外部インターフェイス９を介しパソコンなどのホスト１０に接続される。
【００１４】
なお、図２では１例としてＤＳＰ３、ドライバ５、ＲＡＭ７およびフラッシュメモリ８は個別デバイスとして説明したが、これらが統合された１つのデバイスであっても良い。
【００１５】
図３は光ピックアップ２の動作詳細を示す図である。光ピックアップ２には対物レンズ１１が搭載されている。対物レンズ１１には、ディスク面方向のフォーカス制御１２、およびディスク上に刻まれたトラックに追従するためのトラッキング制御１３が行われている。また、光ピックアップ２は対物レンズ１１と共にスレッドモータ１４によりディスク１００の半径方向にスレッド制御１５される。
【００１６】
図４は光ピックアップ２の内部の詳細図である。レーザ光源１６からレーザが照射され、レーザはスプリッタ１７を介し対物レンズ１１を通過して光ディスク１００に照射される。照射されたレーザは光ディスク１００で反射され、同じく対物レンズ１１を通過し、スプリッタを介し、集光レンズ２０で収束された光を光検出器１８で受光される。光検出器１８で受光した光は電気信号に変換される。ＤＳＰ３は、変換された電気信号をもとに、同じく図示しないドライバを介して光ピックアップ２の対物レンズを駆動するアクチェータ１９を制御する。光検出器１８は反射光量に比例した信号や、先に示したフォーカス制御/トラッキング制御を行うために必要なフォーカスエラーやトラッキングエラーの元となる信号を生成する。
【００１７】
続いて、本実施例における光ディスク記録再生装置１の動作について図を用いて説明する。
【００１８】
まず、図５のフローチャートを用いて、新品の光ディスク１００を利用可能とするために必要なフォーマット処理について説明する。
【００１９】
光ディスク記録再生装置１は、パソコンなどのホストからフォーマットの指示を受信（ステップ２００）する。その際、複数の層のうち描画層に割り当てる層の確認（ステップ２０１）を行う。ここで登録された描画層の情報は光ディスクの管理情報領域に登録され（ステップ２０２）、フォーマットが行われる（ステップ２０３）。描画層が割り当てられない場合は各層全てデジタルデータ記録再生層としてフォーマットされる。
【００２０】
次に、図６のフローチャートを用いて、フォーマット済みの光ディスクが光ディスク記録再生装置に読み込まれた場合の処理について説明する。
【００２１】
光ディスク記録再生装置１はディスク管理情報領域を読み込み（ステップ２０４）、当該光ディスクに描画層が存在するか確認する（ステップ２０５）。描画層が存在する場合は描画層情報をＲＡＭ７に保持し（ステップ２０６）、当該描画層はデジタルデータの記録再生不適合層として検出する。
【００２２】
なお、これまで、本実施例の光ディスクにおける管理情報領域の位置については特に言及してこなかったが、図１に示すように各層の内周部にあることが望ましい。以下、その理由について詳細に説明する。なお、内周部とは、ユーザデータが記録されるユーザデータ領域よりも内周側に位置する部分を示す。同様に外周部とは、ユーザデータが記録されるユーザデータ領域よりも外周賀和に位置する部分を示す。内周部、外周部とをそれぞれリードイン領域、リードアウト領域と言い換えても良い。
【００２３】
図７は、多層ディスクである光ディスク１００のデジタルデータの記録再生順序を示している。光ディスク記録再生装置１は、ディスク内周部３００、光ピックアップ２から見て一番奥の層から記録再生を始める（ステップ３０２）。その後、光ディスク記録再生装置１は、光ピックアップ２をディスク外周部３０１に到達させる（ステップ３０３）。次に層が移り、再度ディスク内周部３００から記録再生が行われる（ステップ３０４）。以降はディスク内周部３００からディスク外周部３０３へ順次記録再生が行われ、最終的に光ピックアップ２から見て一番手前の層のディスク外周部３０１に到達する（ステップ３０５）。
【００２４】
このように、図１に示した光ディスク１００を用いると、常にディスク内周部から記録再生が始まる。このため、管理情報領域を内周部の各層ごとに配置することで、管理情報領域の読み込みがスムースに行える。
【００２５】
また、光ディスク１００は、図１とは異なり、図８に示すように、管理情報領域が内周部1箇所に配置される構成を備えてもよい。図１に示す光ディスク構造では、各層に管理情報領域が存在するため光ディスクの認識過程にて、各層毎に管理情報領域にアクセスする必要があった。これに対して、図８に示す構造とすることで、光ディスク記録再生装置１は１箇所の管理情報領域を読み込めばよく、ディスク認識をより一層スムースに行える。
【００２６】
これまでは図７に示すような、多層ディスクのデジタルデータの記録再生順序について説明してきたが、これ以外にも記録再生の順序は存在する。以下、その詳細を説明する。
【００２７】
図９は第２の多層ディスクのデジタルデータの記録再生順序を示している。ディスク内周部３００、光ピックアップ２から見て一番奥の層から始まり３０６、ディスク外周部３０１に到達する（ステップ３０７）。次に層が移り、ディスク外周部３０１から記録再生が行われる（ステップ３０８）。以降はディスク外周部３０１／ディスク内周部３００を交互に記録再生が行われ、最終的に光ピックアップ２から見て一番手前の層のディスク内周部３００に到達する（ステップ３０９）。このような順序で記録再生が行われる場合に、内周部のみに管理情報領域があると、図９の３０７から３０８へのアクセス時に内周部３００へのアクセスが必要となる。
【００２８】
図１０は第２の光ディスクの実施の形態を示す断面図である。ディスク外周部に管理情報領域１０９から１１２を備えることで、管理情報領域の読み込みがスムースに行える。しかし、図１０に示す光ディスク構造では各層に管理情報領域が存在するため光ディスクの認識過程での読み込みが複雑となる。図１１は管理情報領域が内周部１０９/外周部１０９の各1箇所に配置された第２の光ディスクの実施の形態を示す断面図である。このような構造とすることで、光ディスク記録再生装置は１層の管理情報領域を読み込めばよく、ディスク認識がスムースに行える。
【００２９】
これまでは、フォーマット時に描画層を管理情報領域に登録する発明について説明してきた。しかし、本実施例の光ディスク記録再生装置１は、フォーマット時以外においても描画層を管理情報領域に登録する構成を備えてもよい。具体的には、本光ディスク記録再生装置は、記録再生を行うには不適合な層を検出し、当該層を描画層として扱う。以下、その詳細について説明する。
【００３０】
図１２は光ディスク１００からの光ピックアップ２での信号の読み取りを示す図である。
【００３１】
例えば、光ディスク１００に微小な欠陥部４００、４０１があると光ピックアップからの読み取り信号が欠陥がない部分とは異なってくる。光ピックアップ２からの信号を判断値４０２とした場合に、例えば微小な欠陥部４００では、判断値が通常時と比較して＋（プラス）方向に４０３のような異常値を示す。微小な欠陥部４０１では、−（マイナス）方向に４０４のような異常値を示す。ここで判断値とは先に説明した全反射光量やフォーカスエラー、トラッキングエラーなどである。異常値４０３は＋方向の閾値(Ｔｈ１)４０５を超えているためデジタル情報の記録再生には不適合と判断できる。同じように異常値４０４は−方向の閾値(Ｔｈ２)４０６を超えているためデジタル情報の記録再生には不適合と判断できる。また、異常値の判断については、閾値４０５、４０６を一定判断時間Ｔ１（４０７）、Ｔ２（４０８）を超えていたか、を基準としてよい。ここで、デジタル情報を記録再生する場合に比較して文字や画像などを描画する場合は、目視できる程度の描画精度で良い為、これら欠陥の影響を受けにくい。そこで、欠陥が見つかった層は描画層に転用し、デジタル情報の記録再生には用いないことにする。なお、ここで説明している欠陥とは光ディスク製造時に発生する光ディスク内部の欠陥および光ディスク上の指紋などを示す。
【００３２】
図１３はＤＳＰ３の構造をより具体的に説明した光ディスク記録再生装置１の模式図である。
【００３３】
ＤＳＰ３の内部には反射光量検出部５００、ならびに閾値との比較を行う反射光量比較部５０１があり、その結果をバス６を介してＲＡＭ７に保存する。
【００３４】
フォーカスエラーの場合も、同様にフォーカスエラー検出部５０２、ならびに閾値との比較を行うフォーカスエラー比較部５０３があり、その結果をバス６を介してＲＡＭ７に保存する。同様にトラッキングエラー検出部５０４、ならびに閾値との比較を行うトラッキングエラー比較部５０５があり、その結果をバス６を介してＲＡＭ７に保存する。このようにすることで光ピックアップ２からの信号を元にデジタル情報の記録再生不適合層の登録をＲＡＭ７に行っている。
【００３５】
図１４は、記録再生不適合層の確認処理を示す図である。これまで述べてきたたように、記録再生を行う前に特定の層の記録再生不適合を行うことで、不適合だった場合に当該層を描画層として登録できる。具体的な処理として、ディスク内周３００からディスク外周３０１にかけて判断値を閾値（Ｔｈ１/Ｔｈ２）４０５、４０６と比較して閾値を超えるような異常値４０３のような欠陥部があった場合に当該層は記録再生不適合層と判断し、描画層として管理情報領域に登録を行う。
【００３６】
図１５は記録再生不適合層の登録フローを示す図である。光ディスク記録再生装置に光ディスクを認識させるため、まずロード処理（ステップ６００）が行われる。その後図１４で示した記録再生不適合層の確認が行われる（ステップ６０１）。その結果、記録再生不適合層が存在（ステップ６０２）した場合には、光ディスク記録再生装置１内のＲＡＭ７に描画層を登録（処理６０３）し、ＲＡＭに記録再生禁止層を登録（処理６０４）する。
【００３７】
上述の処理を行うことにより、光ディスク記録再生装置１は、記録再生に適合しない層を描画層として有効に利用することができる。
【００３８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることことが可能である。
【００３９】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４０】
１    光ディスク記録再生装置
２    光ピックアップ
３    ＤＳＰ
４    スピンドルモータ
５    ドライバ
６    バス
７    ＲＡＭ
８    フラッシュメモリ
９    外部インターフェイス
１０    ホスト
１１    対物レンズ
１２    フォーカス制御
１３    トラッキング制御
１４    スレッドモータ
１５    スレッド制御
１６    レーザ光源
１７    スプリッタ
１８    光検出器
１９    アクチェータ
２０    集光レンズ
１００    光ディスク
１０１    記録再生層
１０２    記録再生層
１０３    記録再生層
１０４    記録再生層/描画層
１０５    管理情報領域
１０６    管理情報領域
１０７    管理情報領域
１０８    管理情報領域
２００    フォーマット指示受信
２０１    描画層の必要性確認
２０２    管理情報領域への登録
２０３    フォーマット
２０４    管理情報領域の読み込み
２０５    描画層の確認
２０６    描画層情報のＲＡＭへの保持
３００    ディスク内周部
３０１    ディスク外周部
３０２    光ピックアップから見て一番奥の層の内周部
３０３    光ピックアップから見て一番奥の層の外周部
３０４    光ピックアップから見て一番奥の層の次層の内周部
３０５    光ピックアップから見て一番手前の層の外周部
３０６    光ピックアップから見て一番奥の層の内周部
３０７    光ピックアップから見て一番奥の層の外周部
３０８    光ピックアップから見て一番奥の層の次層の外周部
３０９    光ピックアップから見て一番手前の層の内周部
４００    欠陥部
４０１    欠陥部
４０２    判断値
４０３    ＋方向異常値
４０４    −方向異常値
４０５    ＋方向の閾値
４０６    −方向の閾値
４０７    一定判断時間
４０８    一定判断時間
５００    反射光量検出部
５０１    反射光量比較部
５０２    フォーカスエラー検出部
５０３    フォーカスエラー比較部
５０４    トラッキングエラー検出部
５０５    トラッキングエラー比較部
６００    ロード処理
６０１    記録再生不適合層の確認処理
６０２    記録再生不適合層の判断
６０３    ＲＡＭに描画層を登録
６０４    ＲＡＭに記録再生禁止層を登録
【図１】
2011100501.tif 000003
【図２】
2011100501.tif 000004
【図３】
2011100501.tif 000005
【図４】
2011100501.tif 000006
【図５】
2011100501.tif 000007
【図６】
2011100501.tif 000008
【図７】
2011100501.tif 000009
【図８】
2011100501.tif 000010
【図９】
2011100501.tif 000011
【図１０】
2011100501.tif 000012
【図１１】
2011100501.tif 000013
【図１２】
2011100501.tif 000014
【図１３】
2011100501.tif 000015
【図１４】
2011100501.tif 000016
【図１５】
2011100501.tif 000017